(57)【要約】【課題】MPO-ANCAに代わる血管炎の新たな病態マーカーを提供する。【解決手段】本発明の一形態によれば、生体試料中の、モエシンを特異的に認識する抗体を検出することを含む、血管炎の検査方法が提供される。また、本発明の他の形態によれば、生体試料中の、モエシンを特異的に認識する抗体を検出する物質を含む、血管炎の検査用試薬が提供される。【選択図】図５
2012039161.tif 000002
【特許請求の範囲】
【請求項１】
生体試料中の、モエシンを特異的に認識する抗体を検出することを含む、血管炎の検査方法。
【請求項２】
前記生体試料が血清試料であり、前記抗体がモエシンに対する自己抗体である、請求項１に記載の検査方法。
【請求項３】
前記生体試料中の、ミエロペルオキシダーゼを特異的に認識する抗体を検出することをさらに含む、請求項１または２に記載の検査方法。
【請求項４】
前記血管炎が顕微鏡的多発血管炎、アレルギー性肉芽腫性血管炎（チャーグ・ストラウス症候群）、ウェゲナー肉芽腫症、ギラン・バレー症候群、血栓性血小板減少性紫斑病(TTP)、特発性血小板減少性紫斑病、ＩｇＡ腎症、急速進行性糸球体腎炎、特発性間質性肺炎、サルコイドーシス、びまん性汎細気管支炎、ベーチェット病、全身性エリテマトーデス(SLE)、シェーグレン症候群、高安病（大動脈炎症候群）、バージャー病、結節性多発動脈炎、悪性関節リウマチ、側頭動脈炎、抗リン脂質抗体症候群、強皮症、好酸球性筋膜炎、または天疱瘡である、請求項１〜３のいずれか１項に記載の検査方法。
【請求項５】
前記血管炎が顕微鏡的多発血管炎である、請求項１〜４のいずれか１項に記載の検査方法。
【請求項６】
生体試料中の、モエシンを特異的に認識する抗体を検出する物質を含む、血管炎の検査用試薬。
【請求項７】
前記物質がモエシンおよび／またはその部分ペプチドである、請求項６に記載の検査用試薬。
【請求項８】
前記血管炎が顕微鏡的多発血管炎、アレルギー性肉芽腫性血管炎（チャーグ・ストラウス症候群）、またはウェゲナー肉芽腫症である、請求項６または７に記載の検査用試薬。
【請求項９】
前記血管炎が顕微鏡的多発血管炎である、請求項６または７に記載の検査用試薬。
【請求項１０】
血管炎の細分類のために、モエシンに対する自己抗体とミエロペルオキシダーゼを特異的に認識する抗体を、それぞれ検出することを特徴とする、モエシンに対する自己抗体の反応性の血管炎病態マーカーとしての使用。
【請求項１１】
前記血管炎が小血管炎と中血管炎とを合併するものである、請求項１０記載のモエシンに対する自己抗体の反応性の血管炎病態マーカーとしての使用。
【請求項１２】
前記血管炎が顕微鏡的多発血管炎、アレルギー性肉芽腫性血管炎（チャーグ・ストラウス症候群）、またはウェゲナー肉芽腫症である、請求項１０または１１に記載のモエシンに対する自己抗体の反応性の血管炎病態マーカーとしての使用。
【請求項１３】
顕微鏡的多発血管炎の細分類のために、モエシンに対する自己抗体とミエロペルオキシダーゼを特異的に認識する抗体を、それぞれ検出することを特徴とする、モエシンに対する自己抗体の反応性の血管炎病態マーカーとしての使用。
【請求項１４】
単球および／または好中球を抗モエシン抗体で刺激することにより得られる、サイトカインおよび／またはケモカインの前記単球および／または好中球における産生プロファイルの血管炎の再分類への使用。
【発明の詳細な説明】
【技術分野】
【０００１】
本発明は、新規な血管炎の検査方法および検査用試薬に関する。
【背景技術】
【０００２】
ミエロペルオキシダーゼ（myeloperoxidase：MPO）に対する好中球自己抗体（MPO-ANCA（Anti-Neutrophil Cytoplasmic Antibody））は、半月体形成腎炎や顕微鏡的多発血管炎（MPA）、アレルギー性血管炎（AGA、Churg-Straus症候群（CSS））などの難治性血管炎に関連している。そして、これらの患者の血清中のMPO-ANCAの力価は疾患の活動性と相関していることから、MPO-ANCAはこれらの疾患の特異的マーカーとして、診断や治療判定に用いられている（例えば、非特許文献１を参照）。【０００３】
しかしながら、MPO-ANCAをマーカーとして用いた場合であっても、血清中のMPO-ANCAの力価と病態とが必ずしも一致しない場合がある。このことから、MPO-ANCAのみが好中球に作用して血管炎を誘発したり血管炎の発症後に関与しているわけではなく、他の血管炎の誘発分子や機構が存在することが示唆されている。そして近年、好中球のMPO以外にも自己抗体の標的分子が存在する可能性について議論されている。その結果、Lamp2などのいくつかの標的分子の関与も報告されている（非特許文献２および３を参照）。また、血管炎の発症や病態の進展のメカニズムとして、MPO-ANCAをはじめとする自己抗体による血管内皮細胞の活性化機構の解明が試みられ、これまで、自己抗体陽性の血管炎患者の血清がヒト臍静脈内皮細胞（HUVEC）のICAM-1の発現を誘導すること（非特許文献４を参照）や、Wegener肉芽腫症患者の抗プロテイナーゼ−３自己抗体（PR3-ANCA）が、ICAM-1、VCAM-1それぞれの発現を誘導すること（非特許文献５および６を参照）が報告されている。しかしながら、血管内皮細胞に対するMPO-ANCAの直接的な効果については報告されていない。したがって、MPO-ANCAやLamp2抗体以外の分子が血管炎の病態に関与しているか否かは依然として不明である。また、MPO欠損マウスでも同様に抗マウスMPO抗体（rmMPO抗体）による反応が見られることから、血管内皮細胞においてMPO以外の分子が標的となっていることが示唆されている。さらに、血管炎患者の血清や自己抗体がHUVECを活性化することが報告されてきたが、その病因性や反応する分子は明らかとなっていない。【０００４】
また、本発明者らは、抗rmMPO抗体（MPO-ANCA）がマウス糸球体内皮細胞（mGEC）を活性化することを報告している。しかしながら、MPO-ANCAやLamp2抗体の他に血管炎の病態に対する因子については、依然として不明のままであった。【０００５】
このように、血管炎の診断等に臨床的に用いられているMPO-ANCA以外にも血管炎の病態に関与している因子の存在が示唆されつつも、その本態が明らかとはなっていないのが現状である。上述したようにMPO-ANCAによる診断や治療判定も必ずしも真の病態を完全に反映したものであるとは限らないことから、MPO-ANCA以外の因子を同定することは、MPO-ANCAによる診断等を補完する、またはこれに代わる新たな臨床マーカーを提供できる可能性を秘めており、その臨床上の意義はきわめて重大である。なお、発明者らはＭＰＯ−ＡＮＣＡ以外の因子として、ＰｒｏｔｅｉｎＭを見出した。
【先行技術文献】
【非特許文献】
【０００６】
【非特許文献１】Goeken JA. Antineutrophil cytoplasmic antibody-A useful serological marker for vasculitis. J Clin Immunol 1991; 11: 61-74
【非特許文献２】Kallenberg CG, Stegeman CA, Heeringa P. Autoantibodies vex the vasculature. Nat. Med. 2008 Oct;14(10):1018-9.
【非特許文献３】Kain R, Exner M, Brandes R, Ziebermayr R, Cunningham D, Alderson CA, Davidovits A, Raab I, Jahn R, Ashour O, Spitzauer S, Sunder-Plassmann G, Fukuda M, Klemm P, Rees AJ, Kerjaschki D. Molecular mimicry in pauci-immune focal necrotizing glomerulonephritis. Nat. Med. 2008 Oct;14(10):1088-96. Epub 2008 Oct 5.
【非特許文献４】Johnson PA, Alexander HD, McMillan SA, Maxwell AP. Up-regulation of the endothelial cell adhesion molecule intercellular adhesion molecule-1 (ICAM-1) by autoantibodies in autoimmune vasculitis. Clin Exp Immunol, 1997; 108: 234-242
【非特許文献５】Mayet WJ, Schwarting A, Orth T, Duchmann R, Meyer zum Buschenfelde KH. Antibodies to proteinase 3 mediate expression of vascular cell adhesion molecule-1 (VCAM-1). Clin Exp Immunol 1996; 103: 259-267
【非特許文献６】De Bandt M, Meyer O, Hakim J, Pasquier C. Antibodies to proteinase-3 mediate expression of intercellular adhesion molecule-1 (ICAM-1, CD 54). Br J Rheumatol 1997; 36: 839-846
【発明の概要】
【発明が解決しようとする課題】
【０００７】
上述したような従来技術に鑑み、本発明は、MPO-ANCAに代わる血管炎の新たな病態マーカーを提供することを目的とする。
【課題を解決するための手段】
【０００８】
本発明者らは、上述した課題を解決することを目指して、鋭意研究を行なった。その結果、驚くべきことに、モエシンに対する自己抗体（以下、「MO-ANCA」とも称する）が糸球体内皮細胞のモエシンに作用して当該細胞を活性化することにより、炎症を誘導することを見出した。そして、この知見に基づいて、血管炎患者の血清中に存在するMO-ANCAの反応性を解析したところ、その反応性はMPO-ANCAの反応性と完全に相関せず、むしろ、するものではなかったことから、血清中のMO-ANCAの反応性に基づき血管炎を細分類することが可能となることを見出し、本発明を完成させるに至った。【０００９】
このようにして、本発明者らの研究によれば、先に述べたＰｒｏｔｅｉｎＭはモエシンであることが同定されたのである。このモエシン（moesin；membrane-organizing extension spike protein）は、ウシの子宮より分離されたタンパク質であり、ヘパラン硫酸の受容体タンパク質としての可能性が示唆されている（Lankes, W. T. et al., The Biochemical Journal 1988; 251: 831-842）。また、cDNAクローニングにより、ヒトモエシンは通常、５７７アミノ酸からなることが示されている（Lankes, W. T. et al., Proc. Natl. Acad. Sci. U. S. A., 1991; 88: 8297-8301）。ただし、このモエシンを特異的に認識する抗体が血管炎の患者の血清中に見られることは全く知られていない。【００１０】
すなわち、本発明の第１の形態によれば、生体試料中の、モエシンを特異的に認識する抗体を検出することを含む、血管炎の検査方法が提供される。当該検査方法において、生体試料が血清試料であり、抗体がモエシンに対する自己抗体であることが好ましい。【００１１】
また、上記検査方法は、上記生体試料中の、ミエロペルオキシダーゼを特異的に認識する抗体（例えば、MPO-ANCA）を検出することをさらに含んでもよい。【００１２】
さらに、上記検査方法が検査の対象とする血管炎は、顕微鏡的多発血管炎（MPA）、アレルギー性肉芽腫性血管炎（チャーグ・ストラウス症候群（CSS））、ウェゲナー肉芽腫症、ギラン・バレー症候群、血栓性血小板減少性紫斑病(TTP)、特発性血小板減少性紫斑病、ＩｇＡ腎症、急速進行性糸球体腎炎、特発性間質性肺炎、サルコイドーシス、びまん性汎細気管支炎、ベーチェット病、全身性エリテマトーデス(SLE)、シェーグレン症候群、高安病（大動脈炎症候群）、バージャー病、結節性多発動脈炎、悪性関節リウマチ、側頭動脈炎、抗リン脂質抗体症候群、強皮症、好酸球性筋膜炎、または天疱瘡であることが好ましく、顕微鏡的多発血管炎（MPA）、アレルギー性肉芽腫性血管炎（チャーグ・ストラウス症候群（CSS））、またはウェゲナー肉芽腫症であることがより好ましく、最も好ましくはMPAである。【００１３】
また、本発明の第２の形態によれば、生体試料中の、モエシンを特異的に認識する抗体を検出する物質を含む、血管炎の検査用試薬が提供される。当該検査用試薬において、当該物質は、モエシンおよび／またはその部分ペプチドであることが好ましい。また、当該検査用試薬は、上記抗体を認識する標識化二次抗体をさらに含むことが好ましい。
【発明の効果】
【００１４】
本発明によれば、MPO-ANCAに代わる血管炎の新たな病態マーカーが提供されうる。さらに例えば、本発明により提供される新たな血管炎マーカー（例えば、抗モエシン抗体）を従来公知の血管炎マーカーであるMPO-ANCAと組み合わせて用いれば、血管炎の病態との相関の有無やマーカーの定量値などの情報に基づいて、血管炎の病態を細分類したり、その治療効果を判定したりすることが可能となる。
【図面の簡単な説明】
【００１５】
【図１】実施例において、mGECにおけるモエシンの発現を確認することを目的としてウェスタンブロッティングを行なった結果を示す図である。
【図２】実施例において、二次元電気泳動を行なった後にゲルをCBB染色した結果を示す図である。
【図３】実施例において、二次元電気泳動を行なった後にウェスタンブロッティングを行なった結果を示す図である。
【図４】実施例において、図２に示すCBB染色後に切り出したスポット（ゲル）についてTOF-MS解析を行なった結果を示す図である。
【図５】実施例において、MPO-ANCA陽性を呈するANCA関連血管炎の患者の血清中に含まれる抗モエシン抗体（MO-ANCA）がモエシンタンパク質を認識することを、当該抗モエシン抗体を一次抗体として用いたウェスタンブロッティング法により確認した結果を示す図である。
【図６】実施例において、MPO-ANCA陽性を呈するANCA関連血管炎の患者から採取した血清試料中の抗モエシン抗体（MO-ANCA）およびMPO-ANCAを定量した結果を示すグラフである。
【図７】実施例において、患者の血清試料における、抗モエシン抗体（MO-ANCA）の定量結果とMPO-ANCAの定量結果との関連について解析を行なった結果を示すグラフである。
【図８】実施例において、患者の血清試料における、抗モエシン抗体（MO-ANCA）の定量結果とMPO-ANCAの定量結果との関連について解析を行なった結果を示すグラフである。
【図９】実施例において、ELISA法により、血管炎患者の血漿中のMPO-ANCA力価および抗モエシン抗体価を測定し、それらの多重比較を行なった結果を示すグラフである。
【図１０】実施例において、MPO-ANCA力価および抗モエシン抗体価と各種臨床検査値との関係を調べる中で、MPO-ANCA力価および抗モエシン抗体価を測定した血管炎患者について、血清中のクレアチニン値を測定し、図９に示す４つの領域ごとに血清クレアチニン値を比較した結果を示すグラフである。
【図１１】実施例において、抗モエシン抗体刺激による健常者好中球からのサイトカイン・ケモカイン産生プロファイルを測定した結果を示すグラフである。
【図１２】実施例において、抗モエシン抗体刺激による健常者単球からのサイトカイン・ケモカイン産生プロファイルを測定した結果を示すグラフである。
【発明を実施するための形態】
【００１６】
本発明の第１の形態は、生体試料中の、モエシンを特異的に認識する抗体を検出することを含む、血管炎の検査方法である。
【００１７】
本発明の検査方法を適用することができる対象としては、動物であれば特に限定されないが、例えば、哺乳動物等が挙げられる。哺乳動物としては、例えば、霊長類、実験用動物、家畜、ペット等が挙げられ特に限定されるものではないが、具体的には、例えば、ヒト、サル、ラット、マウス、ウサギ、ウマ、ウシ、ヤギ、ヒツジ、イヌ、ネコなどが挙げられる。好ましくは、対象動物はヒトである。
【００１８】
本発明の方法に用いられうる生体試料としては、特に限定されないが、例えば、検査対象である動物由来の組織、細胞、細胞抽出成分、体液等が挙げられる。組織としては、脾臓、リンパ節、腎臓、肺、心臓、肝臓等が、細胞としては、脾細胞、リンパ細胞、好中球、単球、マクロファージ、樹状細胞、抗体産生細胞等が、体液としては、血液、血清、血漿、尿、汗、脊髄液等が挙げられる。検出の容易性などを考慮すると、生体試料としては体液、特に血清・血漿、尿が好ましい。
【００１９】
本発明の検査方法において検査される「血管炎」の具体的な形態について特に制限はなく、本技術分野において「血管炎」として認識されうるすべての疾患、症状、障害などがいずれも包含されうる。血管炎の一例としては、例えば、顕微鏡的多発血管炎（MPA）、Wegener肉芽腫症、アレルギー性肉芽腫性血管炎（AGA）、CSSなどが挙げられるが、これらには限定されない。ただし、本発明の検査方法は、顕微鏡的多発血管炎（MPA）およびCSSを主とした検査方法であり、さらに好ましくはＭＰＡである。
【００２０】
本発明の検査方法において検出される抗体（以下、「抗モエシン抗体」という場合もある）により認識されるモエシンとは、一般に細胞骨格に結合したタンパク質ファミリー（Ｅｚｒｉｎ Ｒａｄｉｘｉｎ Ｍｏｅｓｉｎ：ＥＲＭファミリー）に属するタンパク質であり、ヒトでは通常５７７アミノ酸からなる。モエシンとしては、上述の哺乳動物由来のものであれば特に限定されないが、好ましくはヒト由来のモエシンである。ヒトモエシンとしては、例えば、ＧｅｎＢａｎｋ登録番号ＮＭ００２４４４のアミノ酸配列からなるタンパク質、またはその天然のアレル変異体等が挙げられる。
【００２１】
抗体としては、特にそのクラスは限定されず、ＩｇＧ、ＩｇＤ、ＩｇＥ、ＩｇＡ、ｓＩｇＡ、ＩｇＭ等のいずれのものであってもよい。また、抗体の結合性断片（Ｆａｂ、Ｆａｂ’、Ｆ（ａｂ’）２等）等も、モエシンに対して特異的に結合する限り、「抗体」に含まれる。
【００２２】
本発明で検出される抗体は、自己のモエシンを特異的に認識する自己抗体であることが好ましい。例えば、生体試料がヒト由来である場合には、好ましくは、ヒトのモエシンを特異的に認識するヒト抗体が検出される。この際、生体試料は血清試料であることが特に好ましい。場合によっては、モエシンがMPOと交差反応する配列部分もあるため、MPO-ANCAの一部であることもある。
【００２３】
生体試料中のモエシンを特異的に認識する抗体を検出する方法としては、自体公知の方法を用いることができ、特に限定されないが、液相または固相で起こる反応（例えば抗原抗体反応）を直接測定する方法や、阻害物質を加えることにより免疫反応の阻害を測定する方法などを利用することができる。
【００２４】
上記方法としては、例えば、モエシンまたはその部分ペプチドを生体試料と接触させ、生体試料中の抗体のモエシンまたはその部分ペプチドに対する特異的結合を、直接的または間接的に検出する方法が挙げられる。
【００２５】
上記方法に用いられるモエシンは、上述のモエシンタンパク質のうち、検査対象動物の自己抗体である抗モエシン抗体により特異的に認識されうるものであれば特に限定されないが、好ましくは検査対象動物由来のモエシンである。例えば、検査対象がヒトであれば、ヒトモエシン（例えば、ＧｅｎＢａｎｋ登録番号ＮＭ００２４４４のアミノ酸配列からなるタンパク質、またはその天然のアレル変異体等）を用いることが好ましい。
【００２６】
また、本発明においてモエシンの部分ペプチドとしては、本発明で検出される抗モエシン抗体が認識する抗原決定基を含む部分ペプチドであれば特にその長さは限定されない。一般的にタンパク質抗原の抗原決定基は、少なくとも５〜６個のアミノ酸残基により構成されるため、少なくとも５個以上、好ましくは８個以上、より好ましくは１０個以上のアミノ酸残基を含むモエシンの部分ペプチドを、本発明では用いることができる。
【００２７】
モエシンまたはその部分ペプチドは修飾されていてもよい。このような修飾としては、例えば、リン酸、糖または糖鎖、リン脂質、脂質、ヌクレオチド等による修飾などが挙げられる。
【００２８】
本発明で用いられるモエシンまたはその部分ペプチドは、上述したヒトやその他の動物から公知の方法によって得ることができる。例えば、脾臓、子宮、腎臓等のようなモエシン発現組織またはその培養細胞、またはＵＴ−７等のモエシン発現細胞株などを用いて、モエシンを精製することができる。具体的には、当該動物の組織または細胞をホモジナイズした後、酸等で抽出を行い、当該抽出液を逆相クロマトグラフィー、イオン交換クロマトグラフィー等のクロマトグラフィーを組み合わせることにより精製単離することができる。
【００２９】
本発明のモエシンまたはその部分ペプチドは、モエシンまたはその部分ペプチドをコードする核酸を含有する発現ベクターを導入した形質転換体を培養してモエシンまたはその部分ペプチドを生成し、得られる培養物からモエシンまたはその部分ペプチドを分離・精製することによっても製造できる。
【００３０】
本発明で用いられるモエシンまたはその部分ペプチドは、公知のペプチド合成法により製造することもできる。このようなペプチド合成法としては、例えば、固相合成法、液相合成法のいずれであってもよい。モエシンを構成しうる部分ペプチドまたはアミノ酸と残余部分とを縮合し、生成物が保護基を有する場合は保護基を脱離することにより、モエシンまたはその部分ペプチドを製造することができる。
【００３１】
本発明で用いられるモエシンの部分ペプチドは、上述または後述のいずれかの方法により得られるモエシンを、適当なペプチダーゼで切断することによっても製造することができる。
【００３２】
モエシンまたはその部分ペプチドは、精製作業等を容易にすることを目的に、適当なタグが連結されたものであってもよい。このようなタグとしては、イムノグロブリンＦｃ領域、マルトース結合タンパク質（ＭＢＰ）、グルタチオン−Ｓ−トランスフェラーゼ（ＧＳＴ）、ｃ−Ｍｙｃタグ、ＦＬＡＧタグ、ＨＡタグ、Ｈｉｓタグ等が挙げられる。
【００３３】
抗体を検出するための検出方法としては、特に限定されないが、より具体的には以下の方法が挙げられる。
（１）血球やゼラチン粒子の表面に、モエシンまたはその部分ペプチド（抗原）を被覆し、生体試料を加えることにより抗原抗体反応を起こさせ、凝集塊を作らせる凝集反応；
（２）モエシンまたはその部分ペプチドを含む抽出液と生体試料とを寒天ゲル内で拡散させて沈降反応を起こさせる二重免疫拡散法（DID：double immune diffusion：オクタロニー法）；
（３）精製したモエシンまたはその部分ペプチドをプレートに固相化し、生体試料を加えて反応させた後、
ｉ）酵素と結合した二次抗体をさらに反応させて、基質の発色を分光光度計で検出するＥＬＩＳＡ法；
ｉｉ）蛍光色素と結合した二次抗体をさらに反応させて、蛍光発色を測定する蛍光免疫測定法（ＦＩＡ）；または、
ｉｉｉ）化学発光物質と結合した二次抗体をさらに反応させて、化学蛍光（ケミルミネッセンス）を測定する化学発光免疫測定法（ＣＬＩＡ）；
（４）ラテックス粒子やガラスビーズなどの表面をモエシンまたはその部分ペプチドで被覆し、当該粒子が抗体と遭遇したときに起こる凝集反応液に光をあて、その透過光を測定する免疫比濁法またはその散乱光を測定する免疫比朧法（ネフロメトリー法）；
（５）モエシンまたはその部分ペプチドを放射性同位元素で標識し、生体試料と反応させ抗原抗体反応を検出するラジオイムノアッセイ；
（６）モエシンまたはその部分ペプチドを含む組織の凍結薄切片または細胞をスライドガラス上に貼り付け、生体試料を切片上に滴下することにより反応させ、蛍光色素と結合した二次抗体とさらに反応させて、蛍光を顕微鏡下で検出する蛍光抗体法；
（７）モエシンまたはその部分ペプチドをチップ上に固定して生体試料を流すことにより親和性をみる表面プラズモン共鳴解析法；
（８）電気泳動により分離展開したゲル内のモエシンまたはその部分ペプチドを、ニトロセルロース膜等に転写し、生体試料と反応させ抗原抗体反応を検出するウェスタンブロッティング法。
【００３４】
例えば検出手段がＥＬＩＳＡ法の場合、具体的には、下記のように検出および／または定量を行なうことができる。すなわち、慣用のＥＬＩＳＡの手法に従い、例えば、モエシンまたはその部分ペプチドで被覆したマルチウェルプレートの各ウェルに生体試料を供し、各ウェルに酵素標識した二次抗体を添加して反応させ、酵素基質を添加した後、当該酵素により生じた産物を検出および／または定量することにより、抗原抗体反応の検出および／または定量を行なうことができる。
【００３５】
上述したＥＬＩＳＡ法の場合、標識に用いられる酵素としては、通常ＥＬＩＳＡ法に用いられる慣用の酵素であればよく、例えば、ペルオキシダーゼ、アルカリホスファターゼ、β−Ｄ−ガラクトシダーゼ、グルコースオキシダーゼ、ルシフェラーゼ、エステラーゼ、β−Ｄ−グルクロニダーゼなどが挙げられる。より高感度で安定な検出を達成することが可能であるという観点からは、ペルオキシダーゼまたはアルカリホスファターゼが公的に用いられうる。また、酵素基質は、用いる酵素により適宜選択することができ、例えば、ペルオキシダーゼの場合、３，３’，５，５’−テトラメチルベンジジンなどが用いられ、アルカリホスファターゼの場合、パラニトロフェニルリン酸ナトリウムなどが用いられる。
【００３６】
酵素により生じた産物の検出および／または定量は、当該産物の吸光度を測定することにより行なうことができる。例えば、酵素基質として、３，３’，５，５’−テトラメチルベンジジンを用いた場合には、６５５ｎｍにおける吸光度を測定すればよい。
【００３７】
例えば、検出手段が蛍光免疫測定法（ＦＩＡ）の場合、蛍光色素としては、ＦＩＴＣ（Fluorescein Isothiocyanate）、ＰＥ（phycoerythrin）、ＡＰＣ（Allophycocyanin）、Ｃｙ−３、Ｃｙ−５等が挙げられる。
【００３８】
また、例えば、検出手段が化学発光免疫測定法（ＣＬＩＡ）の場合、化学蛍光（ケミルミネッセンス）としては、アクリジニウムエステル等が挙げられる。
【００３９】
生体試料中にモエシンを特異的に認識する抗体が検出された場合、当該生体試料の由来する対象は、血管炎を発症する／している可能性が高いと判断することができる。この場合、生体試料中のモエシンを特異的に認識する抗体価が高いほど血管炎を発症する／している可能性が高いとすることもできる。逆に、生体試料中にモエシンを特異的に認識する抗体が検出されない場合、当該生体試料の由来する対象は、血管炎を発症する／している可能性が低いと判断することができる。
【００４０】
上述した発症可能性を判断する場合、その判断基準は抗体の検出・未検出のみに限定されるわけでない。例えば、健常対象由来の生体試料中のモエシンを特異的に認識する抗体量の平均値±３ＳＤ等をカットオフ値と設定し、カットオフ値以上であれば対象は血管炎を発症する／している可能性が高いと判断し、逆にカットオフ値以下であれば対象は血管炎を発症する／している可能性が低いと判断してもよい。
【００４１】
また、血液中のMPO-ANCAの存在の有無やその存在量その他の指標によって血管炎を発症していることが判明している患者において、本発明の検査方法により、モエシンを特異的に認識する抗体が検出された場合、当該患者は血管炎を発症、再発、治療効果の弱さを示している可能性が高いと判定することができる。言い換えると、本発明の第１の形態の検査方法は、生体試料中の、ミエロペルオキシダーゼ（MPO）を特異的に認識する抗体を検出することをさらに含んでもよいということもできる。なお、上記抗体としては、例えば、MPO-ANCAが挙げられ、その検出方法については、モエシンを特異的に認識する抗体の検出について上述した形態が同様に採用されうるため、ここでは詳細な説明を省略する。
【００４２】
上述したようにモエシンを特異的に認識する抗体（モエシンに対する自己抗体）とミエロペルオキシダーゼ（MPO）を特異的に認識する抗体（MPOに対する自己抗体（MPO-ANCA））とをそれぞれ検出することで、血管炎の病態を細分類することが可能である。すなわち、本発明によれば、「血管炎の細分類のために、モエシンに対する自己抗体とミエロペルオキシダーゼを特異的に認識する抗体を、それぞれ検出することを特徴とする、モエシンに対する自己抗体の反応性の血管炎病態マーカーとしての使用」もまた、提供されうる。ここで、細分類の対象とされる血管炎について特に制限はなく、上述したものやその他従来公知の血管炎が細分類の対象とされうるが、一例として、小血管炎と中血管炎とを合併するものが挙げられる。かような血管炎としては、例えば、アレルギー性肉芽腫性血管炎（チャーグ・ストラウス症候群；CSS）、ウェゲナー肉芽腫症（WG）、顕微鏡的多発血管炎（MPA）、川崎病、関節リウマチ、SLE、ベーチェット病によるものが挙げられる。なかでも、上述した２つのそれぞれの抗体を検出することは、顕微鏡的多発血管炎、アレルギー性肉芽腫性血管炎（チャーグ・ストラウス症候群（CSS））、またはウェゲナー肉芽腫症（特に、顕微鏡的多発血管炎）の病態を細分類する目的で、反応性の血管炎病態マーカーとして用いられることが好ましい。とりわけ、これらの血管炎への治療による寛解、再発、治療抵抗性を判定するための病態マーカーとしても有効に用いられうる。
【００４３】
さらに、モエシンを特異的に認識する抗体が検出された場合には、以下のような血管炎由来の症状、疾患が疑われ、より詳細な因果関係等が解明されれば、該症状や疾患の治療による寛解、再発、治療抵抗性を判定するための病態マーカーとして非常に有用である：
循環器病疾患（高血圧、脳梗塞、心筋梗塞、脳卒中、動脈瘤）、多発性硬化症、ギラン・バレー症候群、慢性炎症性脱髄性多発神経炎、ライソゾーム病、特発性血栓症、血栓性血小板減少性紫斑病(TTP)、特発性血小板減少性紫斑病、ＩｇＡ腎症、急速進行性糸球体腎炎、難治性ネフローゼ症候群、特発性間質性肺炎、サルコイドーシス、びまん性汎細気管支炎、自己免疫性肝炎、ベーチェット病、全身性エリテマトーデス（SLE）、シェーグレン症候群、高安病（大動脈炎症候群）、バージャー病、結節性多発動脈炎、悪性関節リウマチ、側頭動脈炎、抗リン脂質抗体症候群、強皮症、好酸球性筋膜炎、天疱瘡。
【００４４】
また、本発明の第２の形態によれば、生体試料中のモエシンを特異的に認識する抗体を検出する物質を含む、血管炎の検査用試薬が提供される。
【００４５】
本形態の検査用試薬に含まれる上記「物質」としては、上述の方法においてモエシンを特異的に認識する抗体の検出を達成しうるものであれば特に限定されないが、好ましくはモエシンまたはその部分ペプチドである。また、本発明で検出される抗モエシン抗体が、複数の抗原決定基を認識する抗体群である場合、モエシン中に存在する多くの抗原決定基に、それぞれ特異的に認識する抗体を網羅的に検出させることにより、検出感度を向上させるという観点から、当該物質はモエシン（タンパク質の全長）であることが好ましい。
【００４６】
モエシンまたはその部分ペプチドは、粉末、溶液等の形態で提供されてもよく、血球、ゼラチン粒子、プレート、ラテックス粒子、ガラスビーズ、スライドガラス、チップ、マイクロタイタープレート、遠心管、マイクロビーズ、メンブレン、ペーパーディスク等の不溶性担体に担持された形で提供されてもよい。なお、容器上の担体においては、当該担体に保持される溶液が接触する部位、例えばマイクロタイタープレートの場合には、ウェルの部位にモエシンまたはその部分ペプチドが担持される。なお、モエシンまたはその部分ペプチドの不溶性担体への担持は、公知の方法により行なうことができる。
【００４７】
本発明の検査用試薬を用いれば、上述の方法により、容易に血管炎を検査することができる。
【００４８】
本発明の検査用試薬はまた、上述の検出方法で使用される試薬等をさらに含む、血管炎検査用キットとすることもできる。上記試薬等として具体的には、試薬や生体試料を希釈するための緩衝液、蛍光色素、反応容器、陽性対照、陰性対照、検査プロトコールを記載した指示書等が挙げられる。これらの要素は、必要に応じて予め混合しておくこともできる。このキットを使用することにより、本発明の血管炎の検査が簡便となり、早期の治療方針決定に非常に有用である。
【実施例】
【００４９】
以下、実施例を用いて本発明を詳述するが、本発明は以下の実施例に限定されるものではない。【００５０】
１．マウス糸球体内皮細胞（mouse glomerular endothelial cell：mGEC）の培養
C57BL/6から単離したmGECを用いた。細胞の維持のため、コンフルエントの状態の細胞の培養上清を取り除いてPBSで洗浄した後、トリプシン/PBS（Gibco）を１ml加えて、約５分間温めたのち、軽く叩いて細胞を剥がした。次に細胞を回収し、培養液で希釈してコラーゲンコート１０cmφ培養皿（Iwaki）で、３７℃、５％ＣＯ２インキュベーターにて培養した。なお、培養液には、RPMI-1640（Sigma）［１０％非働化FBS（Sigma）、5ng/ml vascular endothelial growth factor（VEGF）（Peprotech）、１０ng/ml epidermal growth factor（EGF）（Sigma）、１０ng/ml fibroblast growth factor basic（bFGF）（Sigma）、20U/ml ヘパリン(味の素)、1μg/ml ハイドロコルチゾン（Sigma）、50U/ml ペニシリン、50μg/ml ストレプトマイシン（Gibco）を含む］を用いた。【００５１】
２．ウサギ抗組換えマウスミエロペルオキシダーゼ抗体（ウサギ抗rmMPO抗体）の調製
マウス（C57BL/6）のMPO cDNAを含むプラスミドを用いて大腸菌（Escherichia coli）を形質転換させ、常法に従って培養後、発現組換えタンパク質であるマウスMPO（rmMPO）を回収した。このrmMPOは、Hisタグ標識したマウスMPOのＬ鎖−Ｈ鎖からなる。次いで、得られたrmMPOを精製したものを用いてウサギを免疫し、得られたポリクローナル抗体のIgGフラクションをプロテインＡを用いて血清から単離することにより、抗rmMPO IgGを得た。なお、コントロール用のウサギIgGは、rmMPOで免疫せずに上記と同様の手法により得た。【００５２】
３．抗rmMPO抗体と反応するmGECの細胞分子のバンドの検出
３．１  細胞溶解液の調製
上記１．で培養したmGEC細胞を、PBS中でセルスクレイパーを用いて回収し、遠心してペレット状にした。このペレット状の細胞をPBSで洗浄した後、RIPA buffer（150mM NaCl、10mM Tris-HCl、0.1% SDS、1.0% Triton X-100、1.0% Sodium deoxycholate、 5mM EDTA）に溶解し、超音波によって細胞を破砕して細胞溶解液を得た。【００５３】
３．２．ブロッティング
上記３．１で得られたニトロセルロースメンブレンを0.05% Tween 20／TBS［50mM Tris-HCl／150mM NaCl（pH7.6）］で軽く洗浄した後、5%BSA／0.05% Tween 20／TBSを用いて４℃にて一晩ブロッキングを行なった。次に、メンブレンを、室温にて１．５時間、一次抗体（バッファー：5%BSA／0.05% Tween 20／TBS）と反応させた。その後、メンブレンを0.05% Tween 20／TBSで３回洗浄し、次いで室温にて１．５時間、HRP標識二次抗体（バッファー：5% BSA/0.05% Tween 20/TBS）と反応させた。その後、メンブレンを0.05% Tween 20／TBSで３回洗浄し、ECL（GE healthcare）液に１分間反応させた。最後に、暗室においてＸ線フィルム（GE healthcare）に感光させ、現像機（富士フィルム株式会社）により現像を行なった。その結果を図１に示す。図１に示すように、68kDaのモエシンが検出され、mGEC細胞でモエシンが発現していることが確認された。【００５４】
４．二次元電気泳動
４．１  細胞溶解液の調製
上記１．で培養したmGEC細胞を、PBS中でセルスクレイパーを用いて回収し、遠心してペレット状にした。このペレット状の細胞をPBSで洗浄した後、RIPA buffer（150mM NaCl、10mM Tris-HCl、0.1% SDS、1.0% Triton X-100、1.0% Sodium deoxycholate、 5mM EDTA）に溶解し、超音波によって細胞を破砕して細胞溶解液を得た。【００５５】
４．２  一次元目等電点電気泳動
上記３．１で得た細胞溶解液に、終濃度50%となるようにサンプルバッファー（Invitrogen）を加えた。ゲルとしては、IEFゲルpH3-10（Invitrogen）を用いた。このゲルを泳動槽（Invitrogen）に装填した後、下層に陽極バッファー（Invitrogen）、上層に陰極バッファー（Invitrogen）を注ぎ、サンプルを15μlアプライした。等電点電気泳動は、100Vで１時間、200Vで１時間、500Vで３０分間行なった。なお、マーカーとしては、IEFマーカー（SERVA）を用いた。【００５６】
４．３  二次元目SDS-PAGE
上記３．２で得られた等電点電気泳動のゲルを12% TCAで３０分間固定した。次に、ゲルをDDWで２回洗浄した後、SimplyBlueTM SafeStain（Invitrogen）の手順に従い、Coomassie Brilliant Blue（CBB）染色を行なった。染色したゲルをDDWで洗浄した後、２回、20%エタノールでそれぞれ１０分間振盪した。次に、ゲルのサンプルを流したレーンを切り取り、20%エタノール／２×サンプルバッファーで５分間振盪した。次に、ゲルをrunning buffer（Invitrogen）で軽く洗浄し、SDS-PAGEのゲルのウェルに装填し、SDS-PAGEを200Vで約１時間１５分行なった。なお、マーカーとしては、Novex（登録商標） Sharp Protein Standard（Invitrogen）を用いた。CBB染色の結果を図２に示す。図２に丸印で囲んで示すスポットを、後述するウェスタンブロッティングの現像後にメスを用いて切り出し、後述するPMF解析に用いた。【００５７】
５．ウェスタンブロッティング
５．１  SDS-PAGEからニトロセルロースメンブレンへのトランスファー
上記３．２で得られたSDS-PAGE後のゲルを、ニトロセルロースメンブレン（GE healthcare）とともにトランスファー装置（Invitrogen）に装填し、30Vにて１時間、トランスファーを行なった
５．２．１  ブロッティング
上記５．１で得られたニトロセルロースメンブレンを0.05% Tween 20／TBS［50mM Tris-HCl／150mM NaCl（pH7.6）］で軽く洗浄した後、5%BSA／0.05% Tween 20／TBSを用いて４℃にて一晩ブロッキングを行なった。次に、メンブレンを、室温にて１．５時間、一次抗体（バッファー：5%BSA／0.05% Tween 20／TBS）と反応させた。その後、メンブレンを0.05% Tween 20／TBSで３回洗浄し、次いで室温にて１．５時間、HRP標識二次抗体（バッファー：5% BSA/0.05% Tween 20/TBS）と反応させた。その後、メンブレンを0.05% Tween 20／TBSで３回洗浄し、ECL（GE healthcare）液に１分間反応させた。最後に、暗室においてＸ線フィルム（GE healthcare）に感光させ、現像機（富士フィルム株式会社）により現像を行なった。現像の結果を図３に示す。図３に示すように、分子量67kDa、pI6.2の位置にスポットが確認された。【００５８】
なお、本実施例を通して、各種抗体としては、以下のものを使用した。【００５９】
一次抗体：抗rmMPO抗体 5μg/ml、コントロールウサギIgG 5μg/ml、ウサギ抗ヒトモエシンモノクローナル抗体（Abcam） 1μg/ml、ウサギ抗ヒトモエシンポリクローナル抗体（Upstate） 1μg/ml
二次抗体：HRP標識抗ウサギIgG抗体（Sigma） 1/20000希釈。【００６０】
６．PMF（Peptide Mass Fingerprint）解析およびアミノ酸配列のホモロジー解析
６．１  抗rmMPO抗体と反応したmGECの細胞分子の同定
４．３の二次元電気泳動でのゲルをCBB染色後に切り出したスポット（ゲル）を、TOF-MS解析した。その結果を図４に示す。図４に示す結果から、得られたスポットに含まれるタンパク質は、モエシンであると同定された。【００６１】
６．２  抗rmMPO抗体とモエシンとの分子結合を推定
次いで、抗rmMPO抗体とモエシンとの分子結合を推定するために、モエシンおよびMPOのアミノ酸配列について、Protein BLASTによってホモロジー検索を行なった。検索の結果、５つの類似配列が見られた。また、最も類似性の高い配列では、同じ６つのアミノ酸を有する配列であった。【００６２】
７．抗モエシン抗体による血管内皮細胞のシグナル伝達に対する影響（Cell ELISA）
続いて、以下の手法（Cell ELISA法）により、抗モエシン抗体が抗rmMPO抗体（MPO-ANCA）と同様に血管内皮細胞のICAM-1発現を促進する効果を有するのではないかとの仮説を検証した。【００６３】
すなわち、上記１．で培養したmGEC細胞を、コラーゲンコート96穴プレート（Iwaki）に4×103cells/ウェルの濃度で播種した。一日培養した後、温めた1%FBSを含むRPMI-1640（試験培地）で細胞を洗浄した後、新たに試験培地を加えて１時間培養した。次に、細胞を刺激するための抗体とTNF-αとを試験培地で希釈し、ウェルに加えて６時間培養した。その後、細胞をPBSで３回洗浄し、0.2%グルタルアルデヒドにより、４℃にて５分間固定した。非特異的結合は、ウシ血清アルブミン（BSA）を含むダルベッコリン酸緩衝生理食塩水−0.05% Tween 20（シグマ社製、code:30-5450-5）(PBST）（1%BSA/PBST）により、４℃にて一晩ブロッキングし、続いて0.5μg/mlのラット抗マウスICAM-1モノクローナル抗体（eBioscience）を加えて１．５時間、室温で反応させた。次いで、HRP標識抗ラットIgG抗体（Sigma）と１．５時間室温で反応させた。発色には、1-StepTM Turbo TMB-ELISA（Pierce）を用い、0.5M硫酸（和光純薬）にて反応停止後に450nmで吸光度を測定し、定量した。【００６４】
なお、細胞の刺激には以下の抗体を用いた。【００６５】
ラット抗マウスモエシンモノクローナル抗体（三光純薬）10μg/ml、抗rmMPO抗体 100μg/ml、コントロールウサギIgG 100μg/ml、コントロールラットIgG2a（R&D systems) 10μg/ml。【００６６】
上記試験の結果、抗モエシン抗体によるICAM-1発現の促進が確認され、上記仮説は実証された。【００６７】
８．血管炎患者血清中に抗モエシン抗体が存在することの確認
ヒト肺上皮細胞A549細胞溶解液中のモエシンと反応する抗体が抗モエシン抗体であることを、以下の手法（ウェスタンブロッティング法）により確認した。【００６８】
８．１  ウェスタンブロッティング
ヒト肺上皮細胞A549細胞溶解液を用い、上記３．１と同様にで得られたニトロセルロースメンブレンを0.05% Tween 20／TBS［50mM Tris-HCl／150mM NaCl（pH7.6）］で軽く洗浄した後、5%BSA／0.05% Tween 20／TBSを用いて４℃にて一晩ブロッキングを行なった。次に、メンブレンを、室温にて１．５時間、バッファー：5%BSA／0.05% Tween 20／TBS で５０倍希釈した患者血漿と反応させた。その後、メンブレンを0.05% Tween 20／TBSで３回洗浄し、次いで室温にて１．５時間、HRP標識二次抗体（抗ヒトIgG抗体：バッファー：5% BSA/0.05% Tween 20/TBS）と反応させた。その後、メンブレンを0.05% Tween 20／TBSで３回洗浄し、ECL（GE healthcare）液に１分間反応させた。最後に、暗室においてＸ線フィルム（GE healthcare）に感光させ、現像機（富士フィルム株式会社）により現像を行なった。その結果、ヒトモエシンタンパク質に相当するバンドが確認され、血管炎患者血清中に抗モエシン抗体が存在することが確認された。なお、患者の血清中に含まれる抗モエシン抗体（MO-ANCA）がモエシンタンパク質を認識することを、当該抗モエシン抗体を一次抗体として用いたウェスタンブロッティング法により確認した（図５）。【００６９】
９．血管炎患者の血清中の抗モエシン抗体の定量
以下の手法（ELISA法）によりMPO-ANCA関連血管炎である難治性血管炎患者の血漿を用いて解析した。【００７０】
９．１  ELISA法による血管炎患者の血漿中の抗モエシン抗体の定量
組換えヒトモエシンを、炭酸緩衝液で0.2 μg/ウェル（50μL、2mg/ml）の濃度に希釈し、96穴プレートのウェルにコーティングした。一日培養した後、PBST（PBS-0.1%Tween20）で２回洗浄した後、1% BSA/PBST 100 μLで１．５時間ブロッキングし、PBSTで２回洗浄した。1% BSA/PBSTで５０倍に希釈した患者または健常者の血漿を加え、１．５時間室温で放置し、PBSTで２回洗浄した後、AP-標識抗ヒトIgG抗体でさらに１．５時間室温で放置した。PBSTで２回洗浄した後、AP基質緩衝液と反応させ、405〜650nmにて吸光度を測定し、定量を行なった。結果を図６に示す。図６に示すように、MPO-ANCA関連血管炎に罹患した患者の血清中には、抗モエシン抗体（MO-ANCA）が存在した。なお、上記と同様の手法により、「MPO-ANCA」の定量も同時に行ない、結果は図６に併せて示されている。ここで、図６において「Pt A:anti-M high/MPO-ANCA low」とあるのは左の２つのバーで示される２人の患者（A1、A2）に対応し、抗モエシン抗体の量が多くMPO-ANCAの量が少なかった患者である。一方、図６において「Pt B:anti-M low/MPO high」とあるのは、その右のバーで示される１人の患者に対応し、抗モエシン抗体の量が少なくMPO-ANCAの量が多かった患者である。なお、図６に示す右端の２つのバーは健常者コントロールに対応する。【００７１】
１０．MO-ANCAおよびMPO-ANCAによる血管炎の細分類
患者の血清試料における、抗モエシン抗体（MO-ANCA）の定量結果とMPO-ANCAの定量結果との関連について解析を行なった。その結果、上述した図６、並びに、図７および図８に示すように、それぞれの定量結果に基づいて、血管炎の病態が、（１）抗モエシン抗体（MO-ANCA）とMPO-ANCAとの間に正の相関のある病態（図７）、（２）抗モエシン抗体（MO-ANCA）とMPO-ANCAとの間に負の相関のある病態（図８）、（３）抗モエシン抗体（MO-ANCA）が高値（陽性）で、MPO-ANCAが低値（陰性）の病態（図６のPt-A）、（４）MPO-ANCAが高値だが、抗モエシン抗体（MO-ANCA）が低値の病態（図６のPt-B）、の４つの群に分類されうることが判明した。このことから、本発明の知見を利用し、これを従来存在するMPO-ANCAに基づく検査結果と組み合わせることで、MPAなどの血管炎を細分類するための新たな基準が提供されうる。そして、このような細分類基準を用いることで、患者血清中のMO-ANCAおよびMPO-ANCAの存在の有無およびその存在量に基づき、血管炎の病態やこれに対する種々の治療の効果をより精密に分類することができる。そして、最終的には、よりよい治療計画の策定や患者の予後の改善にも資するものである。【００７２】
１１．MPO-ANCA力価および抗モエシン抗体価による多重比較
上記９．１と同様の手法（ELISA法）により、血管炎患者（ｎ＝７６）の血漿中のMPO-ANCA力価および抗モエシン抗体価を測定し、それらの多重比較を行なった。結果を図９に示す。【００７３】
図９に示すように、MPO-ANCA高力価または抗モエシン抗体陽性を示す患者のほとんどはこれらのいずれか一方のみについて高力価／陽性を示しており、MPO-ANCA高力価かつ抗モエシン抗体陽性を示した患者は４例のみであった。このことから、抗モエシン抗体とMPO-ANCAとの交差反応は、非常に弱い可能性が示唆された。このように、本発明は、従来用いられているMPO-ANCAを利用する技術とは異なる新規な血管炎の検査手段を提供するものであり、臨床上きわめて優位性の高い技術であると言える。【００７４】
１２．MPO-ANCA力価および抗モエシン抗体価と各種臨床検査値との関係
上記１１．においてMPO-ANCA力価および抗モエシン抗体価を測定した血管炎患者について、常法により、血清中のクレアチニン値を測定した。そして、図９に示す４つの領域ごとに、血清クレアチニン値を比較した。結果を図１０に示す。【００７５】
図１０に示すように、抗モエシン抗体単独陽性群では、両陰性群およびMPO-ANCA単独高力価群のそれぞれと比較して有意に高い血清クレアチニン値を示した。【００７６】
同様に、上記１１．においてMPO-ANCA力価および抗モエシン抗体価を測定した血管炎患者のうち、MPO-ANCA単独高力価群および抗モエシン抗体単独陽性群について、常法により、血清中のアスパルテートアミノトランスフェラーゼ（AST）、尿素窒素（BUN）および乳酸脱水素酵素（LDH）の値を測定した。そして、測定された値を２つの群間で比較し、Kruskal-wallis検定およびTukey検定により統計的に処理した。結果を下記の表１に示す。【００７７】
【表１】
2012039161.tif 000003
【００７８】
表１に示す結果から、抗モエシン抗体単独陽性群では、MPO-ANCA単独高力価群と比較して、血清中のASTおよびBUNの値が有意に高く、一方で血清中のLDHの値は有意に低かった。上述した血清クレアチニン値の測定結果も合わせて見ると、抗モエシン抗体は血管炎患者における腎機能の低下に関与していることが示唆された。【００７９】
１３．抗モエシン抗体刺激による健常者好中球からのサイトカイン・ケモカイン産生測定
抗モエシン抗体が好中球と反応することが認められたことから、抗モエシン抗体によって好中球を刺激したときのサイトカイン・ケモカインの産生プロファイルを測定し、抗モエシン抗体による好中球刺激に対する反応をin vitroで分析した。【００８０】
まず、健常者の血漿試料から好中球を単離し、2×106 cells/mlで10%FBS/RPMIに懸濁した。【００８１】
続いて、96穴プレートに、好中球を100μLずつ播種した。次いで、マウスモノクローナル抗モエシン2287抗体(20μg/ml)を100μLずつ添加し、CO2インキュベーター中で37℃にて24時間培養した後、プレートを1000×ｇで20℃にて10分間遠心し、上清を回収した。【００８２】
このようにして回収した上清を用い、各種サイトカイン・ケモカインの産生量をmultiple cytokine assay(Bio-Plex)にて測定した。なお、コントロール群として、マウスモノクローナル抗モエシン2287抗体に代えてマウスモノクローナル抗体IgG2aを用いて同様の実験を行った。結果を図１１に示す。【００８３】
図１１に示すように、好中球を抗モエシン抗体で刺激して24時間後の培養上清において、MCP-1およびIL-8が高値を示した。このことから、生体内において抗モエシン抗体とIL-8とが相互作用していることが示唆された。なお、IL-8は、好中球走化性を有するサイトカインであり、炎症局所への好中球の遊走や、血中への好中球の動員の増加を介して炎症を増強させるサイトカインである。つまり、抗モエシン抗体は、好中球を活性化させ、炎症性サイトカインの産生を誘導することが示されたのである。【００８４】
１４．抗モエシン抗体刺激による健常者単球からのサイトカイン・ケモカイン産生測定
抗モエシン抗体が単球と反応することが認められたことから、上記と同様に、抗モエシン抗体によって単球を刺激したときのサイトカイン・ケモカインの産生プロファイルを測定し、抗モエシン抗体による単球刺激に対する反応をin vitroで分析した。【００８５】
まず、PBMC（末梢血単核球）を単離し、2×106 cells/mlで10%FBS/RPMIに懸濁した。【００８６】
続いて、96穴プレートに、PBMCを100μLずつ播種した。次いで、CO2インキュベーター中で37℃にて2時間培養した後にPBMCを2回洗浄し、ウェルに残っている細胞群を接着性単球として以下の実験に用いた。【００８７】
上記で得られた接着性単球を含むウェルに、マウスモノクローナル抗モエシン2287抗体(10μg/ml)を200μLずつ添加し、CO2インキュベーター中で37℃にて24時間培養した後、プレートを1000×ｇで20℃にて10分間遠心し、上清を回収した。【００８８】
このようにして回収した上清を用い、各種サイトカイン・ケモカインの産生量をmultiple cytokine assay(Bio-Plex)にて測定した。なお、コントロール群として、マウスモノクローナル抗モエシン2287抗体に代えてマウスモノクローナル抗体IgG2aを用いて同様の実験を行った。結果を図１２に示す。【００８９】
図１２に示すように、単球を抗モエシン抗体で刺激して24時間後の培養上清において、抗モエシン抗体陽性患者群において有意に高値であったサイトカインを含め、GM-CSF、TNF-α、IL-6、IL-8、MCP-1などの多数の炎症性サイトカインの増加が見られた。このことから、生体内において抗モエシン抗体は数多くの炎症性サイトカインと相互作用し、それによって各種の炎症誘導に関与しているものと考えられた。このことから、血管炎患者において、生体試料中の抗モエシン抗体（自己抗体）の存在またはその量を検出するだけでなく、抗モエシン抗体による各種サイトカイン・ケモカインの産生プロファイルを測定することで、血管炎をさらに別の観点から細分類することもできると考えられる。すなわち、本発明のさらに他の形態によれば、単球および／または好中球を抗モエシン抗体で刺激することにより得られる、サイトカインおよび／またはケモカインの前記単球および／または好中球における産生プロファイルの血管炎の再分類への使用もまた、提供される。これにより、本発明により提供される血管炎の検査手段の特異性のさらなる向上がもたらされ、血管炎の診断手法としてきわめて優位性の高い技術が提供されることになる。
【図１】
2012039161.tif 000004
【図２】
2012039161.tif 000005
【図３】
2012039161.tif 000006
【図４】
2012039161.tif 000007
【図５】
2012039161.tif 000008
【図６】
2012039161.tif 000009
【図７】
2012039161.tif 000010
【図８】
2012039161.tif 000011
【図９】
2012039161.tif 000012
【図１０】
2012039161.tif 000013
【図１１】
2012039161.tif 000014
【図１２】
2012039161.tif 000015
【国際調査報告】
2012039161.tif 000016
2012039161.tif 000017
2012039161.tif 000018
2012039161.tif 000019
2012039161.tif 000020
2012039161.tif 000021
2012039161.tif 000022